(57)【要約】【課題】施錠装置が設けられた建築用シャッター装置において、シャッターカーテンの材質に拘わらず操作性のよいシャッター装置を構成する。【解決手段】インターロック結合部Ｊを介して複数枚のスラット７を連結してなるシャッターカーテン６の下端部にラッチ錠Ｒを設け、該ラッチ錠Ｒの解錠レバー１２ｅに連結した操作紐１３の操作で、ラッチ錠Ｒの解錠、シャッターカーテンの開閉操作ができるように構成したものにおいて、操作紐１３の他端部に、インターロック結合部Ｊに係脱自在に係止する第一係止部１４ｄを備えた握り部材１４を設ける構成とする。【選択図】図１
2010216206.tif 000002
【特許請求の範囲】
【請求項１】
複数枚のスラットを揺動自在なインターロック結合部を介して一連状のシャッターカーテンを構成し、該シャッターカーテンの下端部に、シャッターカーテンの全閉姿勢への変姿でシャッターカーテンを施錠状態とし、解錠部材の解錠操作で解錠する施錠装置を設け、前記解錠部材に紐状の操作具の一端部を連結して、該操作具の上動操作で施錠装置の解錠とシャッターカーテンの開放とが行えるよう構成するにあたり、前記操作具の他端部に、スラットのインターロック結合部に係脱自在に係止する第一係止部を備えた握り部材を設けたことを特徴とする建築用シャッター装置。
【請求項２】
握り部材は、所定の板厚を備え、一方の板面に第一係止部が形成され、該一方の板面以外の面から操作具の他端部が引出されるものとし、第一係止部は、スラットの上側に形成されるインターロック片の外周面と、前記スラットの上側に連結されるスラットの下側に形成されるインターロック片の内周面との間に形成される隙間に嵌入するフック部と、インターロック結合部を外嵌する凹溝部とを備えて構成されていることを特徴とする請求項１に記載の建築用シャッター装置。
【請求項３】
握り部材は、インターロック結合部への係止姿勢において、凹溝部の下方部位を、下端ほど一方の板面側に偏寄する傾斜面に形成したことを特徴とする請求項２に記載の建築用シャッター装置。
【請求項４】
シャッター装置は、サッシ窓の屋外側に設けられるものとし、握り部材には、シャッターカーテンの屋内側に設けられる係止受け体に係止する第二係止部が形成されていることを特徴とする請求項１乃至３の何れか１項に記載の建築用シャッター装置。
【請求項５】
第二係止部は、係止受け体に挟持状に係止する凹溝部により構成されており、凹溝部は、溝奥側ほど溝幅が狭められていることを特徴とする請求項４に記載の建築用シャッター装置。
【発明の詳細な説明】
【技術分野】
【０００１】
本発明は、住宅の窓部等に配される建築用シャッター装置の技術分野に関するものである。
【背景技術】
【０００２】
一般に、建築用シャッター装置のなかには、例えば住宅の窓部に設けられるもののように、開口部の左右両側にガイドレールを配し、該ガイドレールに案内される状態でシャッターカーテンが開閉作動するよう構成したものがある。このようなものにおいて、シャッターカーテンを手動により開閉操作するものでは、シャッターカーテンを施錠する施錠装置の解錠レバーに遠隔操作部としての操作紐を連結し、シャッターカーテンが全閉姿勢となって施錠装置が施錠されている状態では、前記操作紐を上動させることにより、施錠装置を解錠するとともに、シャッターカーテンを開放作動させ、シャッターカーテンが全開姿勢となっている状態では、操作紐を下動させることにより、シャッターカーテンを閉鎖作動させることができるように構成したものが提唱されており、このようにすることで、シャッター装置の操作性の改善が図れるようにしている。
【先行技術文献】
【特許文献】
【０００３】
【特許文献１】特開２００１−７３６１０号公報
【発明の概要】
【発明が解決しようとする課題】
【０００４】
ところで、前記従来のものは、操作紐の遊端部に握り部材を設けて操作紐の操作が容易になるようにするとともに、握り部材に磁石を設けて、シャッターカーテンが全開姿勢となっている状態では、握り部材（磁石配設部）を施錠装置よりも下方の開口部に垂下させることで、握り部材を操作者にとって操作しやすい高さに位置させる一方、シャッターカーテンが全閉姿勢となっている状態では、操作紐を解錠レバーよりも上方に引き上げて磁石をシャッターカーテンの室内側面に磁着することにより、握り部材が操作者にとって操作しやすい高さに位置するようにして、シャッターカーテンの開閉操作を、背伸びしたり、屈んだりすることなく操作性よく行えるようにしている。このため、シャッターカーテンの材料を、磁石が着磁可能な材料に限定しなければならず、汎用性に劣るという問題がある。さらには、シャッターカーテンの開放時に開口部に垂下する操作紐が邪魔になったり、操作紐に連結された握り部材が強風に煽られたような場合では、握り部材が周辺の部材に当接して騒音を発生するという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、複数枚のスラットを揺動自在なインターロック結合部を介して一連状のシャッターカーテンを構成し、該シャッターカーテンの下端部に、シャッターカーテンの全閉姿勢への変姿でシャッターカーテンを施錠状態とし、解錠部材の解錠操作で解錠する施錠装置を設け、前記解錠部材に紐状の操作具の一端部を連結して、該操作具の上動操作で施錠装置の解錠とシャッターカーテンの開放とが行えるよう構成するにあたり、前記操作具の他端部に、スラットのインターロック結合部に係脱自在に係止する第一係止部を備えた握り部材を設けたことを特徴とする建築用シャッター装置である。
請求項２の発明において、握り部材は、所定の板厚を備え、一方の板面に第一係止部が形成され、該一方の板面以外の面から操作具の他端部が引出されるものとし、第一係止部は、スラットの上側に形成されるインターロック片の外周面と、前記スラットの上側に連結されるスラットの下側に形成されるインターロック片の内周面との間に形成される隙間に嵌入するフック部と、インターロック結合部を外嵌する凹溝部とを備えて構成されていることを特徴とする請求項１に記載の建築用シャッター装置である。
請求項３の発明において、握り部材は、インターロック結合部への係止姿勢において、凹溝部の下方部位を、下端ほど一方の板面側に偏寄する傾斜面に形成したことを特徴とする請求項２に記載の建築用シャッター装置である。
請求項４の発明において、シャッター装置は、サッシ窓の屋外側に設けられるものとし、握り部材には、シャッターカーテンの屋内側に設けられる係止受け体に係止する第二係止部が形成されていることを特徴とする請求項１乃至３の何れか１項に記載の建築用シャッター装置である。
請求項５の発明において、第二係止部は、係止受け体に挟持状に係止する凹溝部により構成されており、凹溝部は、溝奥側ほど溝幅が狭められていることを特徴とする請求項４に記載の建築用シャッター装置である。
【発明の効果】
【０００６】
請求項１の発明とすることにより、操作性よくシャッターカーテンの開閉操作ができるものでありながら、シャッターカーテンの材質を限定する必要がなく、汎用性を高めることができる。
請求項２の発明とすることにより、握り部材のインターロック結合部への係止が確実になる。
請求項３の発明とすることにより、握り部材のインターロック結合部への係止を一層確実にすることができる。
請求項４の発明とすることにより、シャッターカーテンの開放状態において、操作紐が邪魔になることなく操作しやすい部位に保持することができる。
請求項５の発明とすることにより、握り部材の共通化を図ることができる。
【図面の簡単な説明】
【０００７】
【図１】図１（Ａ）はシャッターカーテンの全閉姿勢における窓部の屋内側からの正面図、図１（Ｂ）はシャッターカーテンの全開姿勢における窓部の屋内側からの正面図である。
【図２】図２（Ａ）、（Ｂ）はラッチ錠を説明する正面図、断面図である。
【図３】窓部における平面断面図である。
【図４】図４（Ａ）、（Ｂ）、（Ｃ）、（Ｄ）、（Ｅ）、（Ｆ）はそれぞれ握り部材の正面図、図４（Ａ）のＸ−Ｘ断面図、側面図、背面図、平面図、底面図である。
【図５】図５（Ａ）、（Ｂ）はそれぞれ握り部材の第一係止部の係止状態を説明する側面図である。
【図６】図６（Ａ）、（Ｂ）はそれぞれ握り部材の第二係止部の係止状態を説明する平面図、図６（Ｃ）は握り部材の第二係止部の係止状態を説明する窓部の屋内側からの正面図である。
【図７】図７（Ａ）、（Ｂ）、（Ｃ）はそれぞれ第二の実施の形態の握り部材の断面図、背面図、係止状態を説明する側面図、図７（Ｄ）、（Ｅ）、（Ｆ）は第三の実施の形態の握り部材の断面図、背面図、係止状態を説明する平面図である。
【発明を実施するための形態】
【０００８】
以下、本発明の第一の実施の形態について、図面に基づいて説明する。
図面において、１は住宅の窓部に設けられるバランス式（手動式）の建築用シャッター装置であって、該窓部においては、シャッター装置１の屋内側に窓枠２が設けられ、該窓枠２には、サッシ窓を構成する屋内外一対の窓体３、４が引き違い式に嵌め込まれているとともに、屋外側の窓体４の屋外側に位置して網戸５が移動自在に嵌め込まれる構成となっている。
前記シャッター装置１を構成するシャッターカーテン６は、左右方向に長いスラット７の複数枚を上下方向に連結して構成されており、該シャッターカーテン６の上端部が、躯体開口部の上方に配されたシャッターケース８に正逆回転自在に内装される巻取りドラム９に連結されている。前記巻取りドラム９には、シャッターカーテン６が巻出されることに伴い、該巻出されたシャッターカーテン６の自重にバランスする付勢力が蓄勢されるように構成されたバランス弾機９ａが設けられている。そして、シャッターカーテン６は、左右両端部が窓部屋外側の左右に立設されたガイドレール１０による移動案内を受けて上下動するように構成されており、シャッターカーテン６を下方へ引き下げる閉鎖操作がなされることにより、シャッターカーテン６が巻取りドラム９から巻出されて開口部を閉鎖する全閉姿勢となるとともに、前述したように、バランス弾機９ａが蓄勢され、上方へ引き上げる開放操作がなされることにより、シャッターカーテン６がバランス弾機の付勢力を受ける状態で上動して巻取りドラム９に巻取られ、開口部を開放する全開姿勢となるように構成されており、これらの構成は何れも従来通りである。
【０００９】
また、前記シャッターカーテン６は、前述したように複数枚のスラット７を用いて構成されるが、各スラット７は、左右方向に長い長尺体に形成された金属材をロールフォーミングすることによって形成されるものであり、屋外側（外側）に向けて膨出するよう湾曲状に形成されたスラット片部７ａと、該スラット片部７ａの上下縁部（短尺方向両端部）に形成される側面視ロール形状で円弧面を有した第一、第二連結片部（インターロック片）７ｂ、７ｃとにより構成されている。そして、シャッターカーテン６は、下側に位置するスラット７の第一連結片部７ｂと、上側に位置するスラット７の第二連結部７ｃとを、左右方向からスライド嵌入することにより、隣接するスラット７同士の揺動自在なインターロック結合部Ｊが形成され、これによって、一連状に連結されたシャッターカーテン６に構成されている。
ここで、各スラット７は、スラット片部７ａ上端部に続く第一連結片７ｂは、スラット片部７ａの上端縁から屋内側に向けて延出したものを屋外側に折返す状態のロール形状に形成される一方、スラット片部７ａ下端部に続く第二連結片７ｃは、スラット片部７ａの下端縁から屋外側に向けて延出したものを屋内側に折返す状態のロール形状に形成されている。そして、スラット７を連結してシャッターカーテン６を構成したとき、スラット片部７ａが屋外側に膨出する形状であるため、インターロック結合部Ｊがスラット片部７ａよりも屋内側に偏寄して突出し、該インターロック結合部Ｊを容易に把持できるように構成されている。さらに、インターロック結合部Ｊは、下側スラット７の第一連結片７ｂが上側スラット７の第二連結片７ｃを外嵌する構成となっていて、第一連結片（インターロック片）７ｂの外周面と、第二連結片（インターロック片）７ｃの内周面との間には隙間Ｈが形成されている。
【００１０】
また、シャッターカーテン６の最下端には座板１１が設けられているが、該座板１１は、上下方向を向く垂直面で構成されるスラット片部１１ａと、該スラット片部１１ａの下方から屋内側に延出する水切り片部１１ｂと、スラット片部１１ａの上縁部に形成されるインターロック片部１１ｃとを備えて構成されており、該インターロック片部１１ｃを介して上側のスラット７に連結されている。前記スラット片部１１ａ屋内側面には、水切り片部１１ｂの上方に位置して上下一対の突片１１ｄが屋内側に向けて突出形成されており、これら突片１１ｄにより左右方向に貫通する蟻溝状の凹部１１ｅが長手方向全長にわたって形成されている。
【００１１】
そして、座板１１には左右方向略中央部に位置して施錠装置としてのラッチ錠Ｒが設けられており、シャッターカーテン６が全閉姿勢になることに伴い、左右のガイドレール１０の下端部にそれぞれ設けられたラッチ受け１０ａに自動的に係止して、全閉姿勢のシャッターカーテン６の開放を規制する施錠状態とするように構成されている。
ここで、シャッターカーテン６を開閉操作する場合に、窓部屋内側に位置する窓体３、４の何れか一方を開放して操作することになるが、本実施の形態では、図１において右側に位置する屋内側の窓体３に設けた施錠具３ａを解錠し、左側に位置する屋外側の窓体４を右方にスライド開放し、さらに、網戸５を右方に開放した状態で開閉操作するのが通常の使用状態となっている。
【００１２】
前記ラッチ錠Ｒを構成する錠ユニット１２は、本実施の形態では、座板１１の左右方向略中央部に位置し、屋内側に突出する凹部１１ｅの開口を塞ぐようにして設けられている。そして、錠ユニット１２に、左右のガイドレール１０の各ラッチ受け１０ａにそれぞれ係脱自在に係止する左右一対のラッチバー１２ａ、１２ｂの基端部が連結されているが、これらラッチバー１２ａ、１２ｂは、それぞれ座板１１の凹部１１ｅに嵌入し、該凹部１１ｅにガイドされる状態で左右方向への進退移動が自在となるように構成されている。
さらに、錠ユニット１２には、前記一対のラッチバー１２ａ、１２ｂをそれぞれ左右方向外方に進出するよう付勢する付勢弾機１２ｃ、１２ｄと、ラッチバー１２ａ、１２ｂに連繋する解錠レバー（本発明の解錠部材に相当する）１２ｅとが設けられている。前記解錠レバー１２ｅは、付勢弾機１２ｃ、１２ｄの付勢力に抗して上動操作することにより、上方位置に変位してラッチバー１２ａ、１２ｂを左右方向内方に向けて退避させるように構成されている。このように、ラッチ錠Ｒは、解錠レバー１２ｅの上動操作が解錠操作となってラッチバー１２ａ、１２ｂを左右方向内方に退避させるが、解錠レバー１２ｅの上動操作を解除した場合では、前記付勢弾機１２ｃ、１２ｄの付勢力を受けて解錠レバー１２ｅが下方位置に変位するとともに、ラッチバー１２ａ、１２ｂが左右方向外方に向けて進出する自然状態に復帰するように構成されている。さらに、錠ユニット１２には、解錠レバー１２ｅの上方変位と下方変位とを規制する規制部１２ｆ、１２ｇとがそれぞれ設けられており、解錠レバー１２ｅが上方位置を越えて上方変位すること、下方位置を越えて下方変位することをそれぞれ規制するように構成されている。
尚、本実施の形態において、ラッチ錠Ｒの解錠レバー１２ａは左方に向けて突出配設されており、屋外側の窓体４に対向する部位に位置するように構成されている。
【００１３】
このように構成されたラッチ錠Ｒの錠ユニット１２は、シャッターカーテン６が閉鎖操作され、シャッターカーテン６が閉鎖作動している状態では、一対のラッチバー１２ａ、１２ｂは左右方向外方に進出する自然状態となっている。そして、前記状態からシャッターカーテン６が全閉姿勢に閉鎖作動する過程では、左右のラッチバー１２ａ、１２ｂは、ガイドレール１０のラッチ受け１０ａに当接し、この状態からさらに閉鎖作動することにより、ラッチバー１２ａ、１２ｂがラッチ受け１０ａに押圧される状態で付勢弾機の付勢力に抗して左右方向内方に退避しつつ下動し、ラッチバー１２ａ、１２ｂがラッチ受け１０ａの下方に至る（乗り越える）ことに伴い、ラッチバー１２ａ、１２ｂがラッチ受け１０ａの下方で左右方向外方に向けて進出する自然状態となり、ラッチバー１２ａ、１２ｂとラッチ受け１０ａとが係止することによりシャッターカーテン６の開放を規制するように構成されている。これによって、ラッチ錠Ｒは、シャッターカーテン６の全閉姿勢への変姿に伴い、自動的にシャッターカーテン６を施錠状態とするように構成されている。
これに対し、シャッターカーテン６を開放操作する場合では、錠ユニット１２の解錠レバー１２ｅを上動操作（解錠操作）して上方位置に変位せしめ、ラッチバー１２ａ、１２ｂを付勢力に抗して左右方向内方に向けて退避させ、ラッチバー１２ａ、１２ｂとラッチ受け１０ａとの係止を解除するべくラッチ錠Ｒの解錠操作をしながら、シャッターカーテン６を開放操作することにより、シャッターカーテン６が開放するように構成されている。
【００１４】
そして、屋外側の窓体４と網戸５とを開放することで操作者が直接目視できる前記ラッチ錠Ｒの解錠レバー１２ｅに、本発明の操作具に相当し、シャッターカーテン６の開閉操作をするための操作紐１３の一端部１３ａが連結されている。前記操作紐１３は、樹脂製ロープ、紐体、帯状体、ワイヤ等、長尺状で、かつ、可撓性のある材料で構成することができ、本実施の形態では、樹脂製ロープが用いられている。そして、操作紐１３の他端部１３ｂには、本発明が実施された握り部材１４が連結されており、操作紐１３を上下方向に操作することにより、該操作力が解錠レバー１２ｅを介してシャッターカーテン６に作用して、シャッターカーテン６の開閉作動がなされるように構成されている。ここで、シャッターカーテン６の開閉操作において、前記握り部材１４を把持することにより操作紐１３の上下方向への操作が操作性よく行うことができるが、必ずしも握り部材１４を把持する必要はなく、操作紐１３を把持して操作することも可能である。
【００１５】
前記握り部材１４は、所定の板厚を有した長方形状に形成されており、後述するインターロック結合部Ｊへの係止姿勢で、屋内外一対の板面１４ａ、１４ｂを備えて構成されている。さらに、握り部材１４は、硬質、または、半硬質のゴム質樹脂材であって、例えば、スチレン−ブタジエンゴム等の合成ゴムを用いて形成することにより所定の弾性を備えており、他の部材との当接時に緩衝、消音機能を発揮するものとなっている。さらに、握り部材１４は、コーナー部がそれぞれ面取りされた形状となっており、前記一対の板面１４ａ、１４ｂの略中央部に板厚方向段差状に形成された貫通孔１４ｃが開設されており、該貫通孔１４ｃに、屋内側の板面１４ａ側から操作紐１３の他端部１３ｂを挿通し、屋外側の板面１４ｂ側に引き出された操作紐１３の他端部１３ｂに抜止め用の結び玉１３ｃを形成することにより、操作紐１３が握り部材１４の屋内側の板面１４ａから抜止め状に引出されるように構成されている。
【００１６】
そして、握り部材１４の屋外側（本発明の一方に相当する）の板面１４ｂに、開口部に巻出されるシャッターカーテン６の屋内側面に露出するスラット７同士のインターロック結合部Ｊに係脱自在に係止する第一係止部１４ｄが形成されている。前記第一係止部１４ｄは、屋外側の板面１４ｂの短尺方向一端部であって、第一係止部１４ｄをインターロック結合部Ｊに係止させた状態（握り部材１４の係止姿勢）において、握り部材１４の上端部に位置する部位に長尺方向一体に形成されている。そして、第一係止部１４ｄは、前記隙間Ｈであって、前述したように、インターロック連結部Ｊの第一連結片（インターロック片）７ｂの外周面と、第二連結片（インターロック片）７ｃの内周面との間に形成される隙間Ｈに嵌入するフック片１４ｅと、インターロック結合部Ｊを外嵌する円弧面状の凹溝部１４ｆとにより構成されている。尚、前記第一係止部１４ｄの先細状のフック片１４ｅと円弧面状の凹溝部１４ｆとは、屋外側の板面１４ｂに、円中心が握り部材１４の板厚内に位置する円弧状凹部を形成することにより形成されており、フック片１４ｅの先端部と屋外側の板面１４ｂとが略同一面に位置するように設定されている。さらに、前記凹溝部１４ｆの下方部位は下端ほど屋外側の板面１４ｂに偏寄する傾斜面１４ｇに形成されており、該傾斜面１４ｇは、インターロック結合部Ｊの下方に位置するスラット片部７ａ上端部の屋外側に膨出する傾斜状部７ｄに沿うように構成されている。
【００１７】
このように構成される握り部材１４は、凹溝部１４ｆにインターロック結合部Ｊを外嵌する状態でフック部１４ｅをインターロック連結部Ｊの第一連結片（インターロック片）７ｂの外周面と、第二連結片（インターロック片）７ｃの内周面との間に形成される隙間Ｈに嵌入させることで係止するように構成されている。このとき、握り部材１４は、インターロック結合部Ｊに係止するフック部１４ｅを支点として自重で吊持する状態となっており、第一係止部１４ｄの凹溝部１４ｅの下方に形成された傾斜面１４ｇが、スラット片部７ａの傾斜状部７ｄに沿うことにより、フック部１４ｅがインターロック結合部Ｊの円弧状の外周面に沿って回転し、握り部材１４の下端部が屋外側に偏寄する傾斜状となって、握り部材１４の屋外側板面１４ｂの下端部がスラット３の屋外側に膨出するスラット片部７ａに当接する状態となっていて、インターロック結合部Ｊへの確実な係止がなされるように構成されてる。このとき、フック部１４ｅは握り部材１４の板厚内に形成されていて、フック部１４ｅの屋外側端部が屋外側板面１４ｂと面一状になるように設定されている。このため、握り部材１４は、屋外側板面１４ｂの下端部がスラット片部７ａに当接するようにフック部１４ｅがインターロック結合部Ｊの外周を回転したとしても、その回転量が小さくなってフック部１４ｅがインターロック結合部Ｊから抜け出るようなことがないように構成することができ、これによって、握り部材１４のインターロック結合部Ｊへの係止が一層確実になり、しかも、インターロック結合部Ｊから外れにくくなるように構成されている。
ここで、第一係止部１４ｄを構成する凹溝部１４ｆは、円弧面部の径をインターロック結合部Ｊに外嵌可能となるよう設定することになるが、本実施の形態では、図５（Ｂ）に示すように、スラット１５の第一、第二連結片部１５ｃ、１５ｂが折り返し状に形成されて、インターロック結合部Ｊ１の外径が大きいスラット１５で構成されたシャッターカーテンにも対応可能となるよう、円弧面部の径を大径に設定している。これによって、握り部材１４の汎用性が高められて、異なるタイプのシャッター装置との部材の共通化が図れるようにしている。
【００１８】
さらに、本実施の形態の握り部材１４は、短尺方向他端部であって、握り部材１４の係止姿勢において下端部側の下端面（板厚面）１４ｈに第二係止部１４ｉが形成されている。一方、窓部には、窓体３、４より屋外側で、シャッターカーテン６より屋内側に配設される網戸５の縦枠材５ａには、上下方向全長にわたってフィン５ｂが形成されている。そして、握り部材１４の第二係止部１４ｉは、前記フィン５ｂを係止受け体として、係脱自在に係止することができるように形成されている。
つまり、第二係止部１４ｉは、下端面１４ｇの板厚方向中間部を上方に向けて凹設することにより長尺方向一体に形成される凹溝部により構成されており、第二係止部１４ｉをフィン５ｂに向けて挿し込むことで、凹溝部の対向する溝側面１４ｊ、１４ｋがフィン５ｂを挟持して、握り部材１４を係止保持するように構成されている。このとき、第二係止部１４ｉの溝側面１４ｊ、１４ｋは、それぞれ上端側（溝奥側）ほど対向間隔（溝幅）を狭める（幅狭となる）よう傾斜面に形成されているとともに、それぞれ複数の突片１４ｍが形成されており、これによって、図６（Ｂ）に示すように、網戸枠材１６に形成されるフィン１６ａが異なる板厚であっても、第二係止部１４ｉが挟持して握り部材１４をフィン５ａ、１６ａに確実に係止保持させることができるように構成されている。このように構成することにより、握り部材１４の汎用性を高めることができて、シャッター装置１を後付けしたような場合であっても対応可能となるように構成されている。
尚、第二係止部１４ｉが係止する係止受け体としては、網戸５に形成されるフィン５ｂに限定されることはなく、シャッターカーテン６の屋内側に配設され、窓部の背伸びすることなく手が届く範囲、屈むことなく手が届く範囲に設けられる平板状の部材であればよく、窓体３、４の窓枠やガイドレール１０に形成されるものであってもよい。
【００１９】
このように構成されたシャッター装置１において、シャッターカーテン６が全閉姿勢にあるときは、解錠レバー１２ｅに連結される操作紐１３を上方に引回し、操作紐１３に連結される握り部材１４は、第一係止部１４ｄが、操作者が屈んだりすることなく手が届く操作しやすい位置のインターロック結合部Ｊに係止されており、これによって、操作紐１３（握り部材１４）が操作しやすい位置に保持されて、操作者がシャッターカーテン６を開放操作する場合に無理な姿勢をすることなく操作紐１３（握り部材１４）の操作ができるように構成されている。そして、シャッターカーテン６を開放操作する場合では、操作者は、第一係止部１４ｄとインターロック結合部Ｊとの係止を解除して握り部材１４（操作紐１３）を把持し、この状態から、握り部材１４（操作紐１３）を上方に向けて引き上げる上動操作をすることにより、操作紐１３からの上動力がまず解錠レバー１２ｅに作用して、解錠レバー１２ｅが下方位置から上方位置に変位することによりラッチ錠Ｒが解錠する。続いて、操作紐１３の上動力が上方位置にある解錠レバー１２ｅを介してシャッターカーテン６の座板１１に作用して、ラッチ錠Ｒを解錠したままシャッターカーテン６が開放作動する。このように、シャッターカーテン６の開放操作では、操作者が無理な姿勢をすることなく操作紐１３（握り部材１４）の操作ができて、シャッターカーテン６の開放作動を容易に行うことができるように構成されている。
尚、操作紐１３の上動操作が停止されて、操作紐１３に作用する上動力が消失すると、解錠レバー１２ｅは自動的に下方位置に復帰して自然状態となり、シャッターカーテン６の全開姿勢への変姿の過程で握り部材１４（操作紐１３）から手を放すと、握り部材１４（操作紐１３）は自重垂下する状態で開口部に垂下する。
【００２０】
そして、シャッターカーテン６の全開姿勢において、操作紐１３が開口部に垂下した状態であると、閉鎖操作する際に操作紐１３が手の届く部位に位置していて操作しやすいが、握り部材１４が周辺の部材に当接して騒音発生の惧れがあって問題がある。これに対し、このものでは、握り部材１４が硬質、または、半硬質のゴム質樹脂材により構成されているため、当接音が緩衝されて消音効果が発揮されるように構成されている。さらに、このものでは、握り部材１４に第二係止部１４ｉが形成されていて、該第二係止部１４ｉを網戸縦枠材５ａのフィン５ｂの背伸びすることなく手が届く操作しやすい部位に係止することで、操作紐１３が邪魔になったり、握り部材１４が周辺の部材に当接して騒音が発生するようなことがないようにすることができるうえ、シャッターカーテン６のつぎの閉鎖操作を行う場合に、操作紐１３（握り部材１４）を無理なく操作できる位置に保持することができて、操作性よくシャッターカーテン６の閉鎖操作ができるように構成されている。
【００２１】
そして、前記状態からシャッターカーテン６を閉鎖する場合では、握り部材１４をフィン５ｂから取外し、握り部材１４（操作紐１３）を把持して下方に向けて引き下ろす下動操作することにより、該下動力が下方位置の解錠レバー１２ｅを介してシャッターカーテン６に作用し、これによって、シャッターカーテン６を閉鎖作動させるように構成されている。そして、シャッターカーテン６が全閉姿勢となった状態では、前述したように、握り部材１４の第一係止部１４ｄを屈むことなく手が届くインターロック結合部Ｊに係止することにより、握り部材１４をつぎの開放操作をしやすい位置に保持することができるように構成されている。
尚、本実施の形態の握り部材１４は、第二係止部１４ｉが設けられているため、図６（Ｃ）に示すように、シャッターカーテン６の全閉姿勢において、握り部材１４の第一係止部１４ｄをインターロック結合部Ｊの操作しやすい部位に係止することに換えて、第二係止部１４ｉを網戸縦枠５ａのフィン５ｂの操作しやすい下方部位に挿し込んで握り部材１４を保持するようにしてもよく、二種類の係止手段を選択して使用することができる。
また、操作紐１３は、必ずしも握り部材１４の屋内側の板面１４ｃから引き出す必要はなく、第一、第二係止部１４ｄ、１４ｉが形成されない板面であれば何れの板面から引出しても操作性を損なうことはない。
【００２２】
叙述の如く構成された本形態において、操作紐１３の操作によりラッチ錠Ｒの解錠とともにシャッターカーテン６の開放、閉鎖をすることができるものであるが、操作紐１３の他端部１３ｂには握り部材１４が設けられていて、シャッターカーテン６の全閉姿勢において、握り部材１４の第一係止部１４ｄがシャッターカーテン６のインターロック結合部Ｊに係止しており、操作者が無理な姿勢をすることなく操作紐１３を把持して上動操作をすることで、ラッチ錠Ｒの解錠とシャッターカーテン６の開放操作をすることができる。しかも、この場合に、操作紐１３を操作しやすい位置に保持するための手段として、握り部材１４の第一係止部１４ｄをシャッターカーテン６のインターロック結合部Ｊに係止する構成としたので、従来の操作紐の端部に磁石が設けられた握り部材を設けるもののように、シャッターカーテンを磁石が着磁可能な材料に限定する必要がなく、汎用性を高めることが可能となる。
因みに、インターロック結合部Ｊは、シャッターカーテン６の左右方向全長にわたって設けられている一方、スラット７の上下ピッチに相当する間隔を存して設けられているため、握り部材１４を係止させる位置の選択の自由度が高く、操作性に優れたものとすることができる。
【００２３】
さらに、本発明が実施されたものにあっては、シャッターカーテン６の全閉姿勢において、操作紐１３の他端部１３ｂに設けた握り部材１４をシャッターカーテン６のインターロック結合部Ｊに係止することで、操作紐１３によるシャッターカーテン６の開放操作を操作性よく行えるものであるが、このものでは、第一係止部１４ｄは、インターロック結合部Ｊを外嵌する状態でフック部１４ｅをインターロック連結部Ｊの第一連結片（インターロック片）７ｂの外周面と、第二連結片（インターロック片）７ｃの内周面との間に形成される隙間Ｈに嵌入させる構成としたので、握り部材１４のインターロック結合部Ｊへの係止を確実に行うことができる。
【００２４】
しかも、このものでは、インターロック結合部Ｊに外嵌する凹溝部１４ｆの下方に傾斜面１４ｇが形成されていて、握り部材１４の係止姿勢で下端部ほど屋外側に偏寄する傾斜状となって、インターロック結合部Ｊへの係止が一層確実になるとともに、インターロック結合部Ｊから外れにくくすることができる。
【００２５】
さらに、このものにおいて、握り部材１４は、硬質、または、半硬質のゴム質樹脂材を用いて構成されているので、シャッターカーテン６の開放時に握り部材１４が開口部に垂下する状態となって、周辺の部材に当接したとしても緩衝、消音効果が発揮されて騒音防止を図ることができる。
【００２６】
また、このものでは、握り部材１４の下端部に第二係止部１４ｉが形成されていて、シャッターカーテン６の全開時に、第二係止部１４ｉを網戸５の縦枠材５ａのフィン５ｂに挿し込むことで、握り部材１４を操作しやすい部位に保持することができる。この結果、操作紐１３（握り部材１４）が邪魔になったり、風に煽られて騒音が発生するようなことがなく、しかも、シャッターカーテン６の閉鎖作動時に操作紐１３（握り部材１４）が操作しやすい部位に保持することができて、操作性の改善を図ることができる。
【００２７】
そして、この場合に、第二係止部１４ｉを構成する溝側面１４ｊ、１４ｋは上端側ほど幅狭となり、かつ、突片１４ｍが形成されて段差状になっているので、異なる板厚の枠材（フィン５ｂ、１６）にも対応できて、部材の共通化を図ることができる。
【００２８】
尚、本発明は前期実施の形態に限定されないことは勿論であって、施錠装置としては、前述のラッチ式のものに限定されることはなく、解錠部材が、シャッターカーテンの開放方向の変位で解錠操作されるものであれば、どのような解錠装置であっても採用することができる。因みに、他の解錠装置としては、床側の水切り部やガイドレールの溝底片に設けた係止受けに係脱自在に係止する係止具が設けられる施錠装置等とすることができる。また、シャッターカーテンの開放方向の変位で解錠操作される解錠部材としては、シャッターカーテンの幅方向全長にわたって設けられる解錠操作具であってもよい。
【００２９】
つぎに、図７に第二、第三の実施の形態を示す。これら第二、第三の実施の形態において、第一の実施の形態と同様の構成の部材については同様の符号を付すことにより説明を省略する。
図７（Ａ）、（Ｂ）、（Ｃ）に示す第二の実施の形態において、握り部材１７は、操作紐１３が引き出されるのとは反対側の板面１７ａに、前記第一の実施の形態と同様の構成の第一係止部１７ｂ、即ち、インターロック連結部Ｊの第一連結片（インターロック片）７ｂの外周面と、第二連結片（インターロック片）７ｃの内周面との間に形成される隙間Ｈに嵌入するフック部１７ｃと、インターロック結合部Ｊに外嵌する凹溝部１７ｄとが形成された第一係止部１７ｃが形成されるとともに、凹溝部１７ｄの下方に傾斜面１７ｅが形成されたものとなっている。この場合に、握り部材１７は、シャッターカーテンの全閉姿勢のときに握り部材１７を操作しやすい位置のインターロック結合部Ｊに係止させ、シャッターカーテンの全開姿勢のときには開口部に自然垂下する状態とすることで、操作紐１３によるシャッターカーテンの開閉操作が操作性よく行えるようにしたものである。そして、この場合に、握り部材１７を硬質、または、半硬質のゴム質樹脂材で形成することにより、強風で握り部材１７が煽られて周辺部材に当接したとしても、緩衝、消音効果が発揮されて騒音となるようなことはない。そして、このものでも、第一の実施の形態と同様に、操作紐１３により操作性よくシャッターカーテンの開閉操作を行うことが可能なものでありながら、シャッターカーテンの材質に拘わらず握り部材１７を用いることが可能となる。
【００３０】
また、図７（Ｄ）、（Ｅ）、（Ｆ）に示す第三の実施の形態において、握り部材１８は、短尺方向一端部となる板厚面１８ａに、第一の実施の形態と同様の第二係止部１８ｂ、即ち、対向する一対の溝側面１８ｃ、１８ｄを有した凹部により構成される第二係止部１８ｂが形成されたものとなっている。この場合に、握り部材１８は、シャッターカーテンの全閉姿勢、全開姿勢、何れの姿勢においても、第二係止部１８ｂを網戸等の窓部の枠材に形成されるフィン５ｂの操作しやすい適宜部位（上方または下方部位）に挿し込むことで、操作紐１３によるシャッターカーテンの開閉操作が操作性よく行えるようにしたものである。因みに、このものにおいて、溝側面１８ｃ、１８ｄはそれぞれ上端側ほど対向間隔を狭める（幅狭となる）よう傾斜面となるとともに、複数の突片１８ｅが形成されて段差状になっており、板厚の異なる縦枠材（例えばフィン）にも対応できることは前記第一の実施の形態と同様である。そして、この場合でも、第一の実施の形態と同様に、操作紐１３により操作性よくシャッターカーテンの開閉操作を行うことが可能なものでありながら、シャッターカーテンの材質に拘わらず握り部材１７を用いることができる。
【産業上の利用可能性】
【００３１】
本発明は、住宅等の建築物の開口部に設けられる建築用開閉装置に利用することができる。
【符号の説明】
【００３２】
１  建築用シャッター装置
２  窓枠
４  窓体
５  網戸
５ｂ  フィン
６  シャッターカーテン
７  スラット
９  巻取りドラム
１０  ガイドレール
１２  錠ユニット
１２ｅ  解錠レバー
１３  操作紐
１４  握り部材
１４ｄ  第一係止部
１４ｅ  フック片
１４ｆ  凹溝部
１４ｇ  傾斜面
１４ｉ  第二係止部
１４ｍ  突片
【図１】
2010216206.tif 000003
【図２】
2010216206.tif 000004
【図３】
2010216206.tif 000005
【図４】
2010216206.tif 000006
【図５】
2010216206.tif 000007
【図６】
2010216206.tif 000008
【図７】
2010216206.tif 000009